(57)【要約】【課題】  封筒を本のように開くことで、例えば電車の中でも無理なく見ることができる折畳みタイプの封筒を提供する。【解決手段】  折畳みタイプの封筒１０は、一枚の印刷物１１を巻き紙状に折り畳んで形成したもので、一枚の印刷物１１を封筒１０に折り畳んだ際に、外側に折り畳んだ端縁１２ａを剥離可能に接着するとともに、封筒１０の上縁１０ｃ及び下縁１０ｄを剥離可能に接着し、封筒１０の一方側に重なる折畳み部１０ａを接着し、封筒１０の他方側に重なる折畳み部１０ｄにミシン目１５を入れたものである。【選択図】      図１
2005324812.tif 000002
【特許請求の範囲】
【請求項１】
一枚の印刷物を巻き紙状に折り畳んで形成する折畳みタイプの封筒において、前記一枚の印刷物を封筒状に折り畳んだ際に、外側に位置する折畳み片の端縁を剥離可能に接着するとともに、封筒の一方側縁の重ね折畳み部を接着して綴じ部とし、封筒の他方側縁の重ね折畳み部にミシン目を入れたことを特徴とする折畳みタイプの封筒。
【請求項２】
前記一枚の印刷物を封筒に折り畳んだ際に、封筒の上縁及び下縁を剥離可能に接着したことを特徴とする請求項１記載の折畳みタイプの封筒。
【請求項３】
前記一枚の印刷物を封筒に折り畳んだ際に、封筒の上縁及び下縁を非接着としたことを特徴とする請求項１記載の折畳みタイプの封筒。
【発明の詳細な説明】
【技術分野】
【０００１】
本発明は、折畳みタイプの封筒に関し、さらに詳しくは、一枚の印刷物を巻き紙状に折り畳んで形成し、これを開封した際に本のように開くことができる折畳みタイプの封筒に関する。
【背景技術】
【０００２】
従来、一枚の印刷物を巻き紙状に折り畳んで封筒を形成し、この封筒にミシン目を入れることで、はさみを使用することなくミシン目から簡単に開封できるようにした封筒が知られている（例えば、特許文献１参照）。
【特許文献１】実用新案登録第２５１０３２３号公報
【０００３】
この封筒によれば、はさみを使用することなくミシン目から簡単に開封できるので、例えばダイレクトメールなどに用いることで、ダイレクトメールを受け取った人が簡単に封筒を開封することができる。
このため、ダイレクトメールを受け取った際などに、ダイレクトメールを開封し易くする効果があった。
【０００４】
さらに、一枚の印刷物を巻き紙状に折り畳んで封筒を形成するので、所望の封筒を比較的低コストでつくることができた。
【発明の開示】
【発明が解決しようとする課題】
【０００５】
しかし、従来の封筒は、一枚の印刷物を巻き紙状に折り畳んで形成したものなので、封筒を開封した際には展開状になって、比較的大きな用紙になる。
これにより、開封したダイレクトメールを読むためには、比較的広い空間を必要とし、ダイレクトメールを電車の中で広げることなどは難しいものであった。
さらに、封筒を開封しただけで一冊の本になる新商品を開発することで、パンフレットのような商品を郵送で簡単に送ることができ、これによりパンフレットの取り扱い易さを向上させる封筒の実用化が望まれていた。
【０００６】
本発明は、封筒を本のように開封することができ、例えば電車の中でも無理なく読むことができ、パンフレットとして取り扱い易い折畳みタイプの封筒を提供することを課題とする。
【課題を解決するための手段】
【０００７】
請求項１に係る発明は、一枚の印刷物を巻き紙状に折り畳んで形成する折畳みタイプの封筒において、前記一枚の印刷物を封筒状に折り畳んだ際に、外側に位置する折畳み片の端縁を剥離可能に接着するとともに、封筒の一方側縁の重ね折畳み部を接着して綴じ部とし、封筒の他方側縁の重ね折畳み部にミシン目を入れたことを特徴とする。
【０００８】
封筒の一方側縁の重ね折畳み部を接着して綴じ部とし、封筒の他方側縁の重ね折畳み部にミシン目を入れたので、このミシン目を切り裂くことで封筒を本のように開くことができるので、「はさみ」などを用いなくても簡単に封筒を開封することができる。
さらに、封筒を開封した際には、封筒の一方側縁に綴じ部が接着されているので、封筒を本のように体裁よく開けるので、読み易いものとなる。
【０００９】
請求項２は、前記一枚の印刷物を封筒に折り畳んだ際に、封筒の上縁及び下縁を剥離可能に接着したことを特徴とする。
【００１０】
一枚の印刷物を封筒に折り畳んだ際に、封筒の上縁及び下縁を剥離可能に接着することで、配達中に封筒の中が不用意に見られないようになる。
【００１１】
請求項３は、前記一枚の印刷物を封筒に折り畳んだ際に、封筒の上縁及び下縁を非接着としたことを特徴とする。
【００１２】
封筒の上縁及び下縁を非接着とすることで、封筒を開封する際に、封筒の上縁や下縁を剥離する必要がなくなるので封筒の開封が簡単になり、封筒を受け取った者は手間をかけないで開封することができるようになる。
【発明の効果】
【００１３】
請求項１に係る発明では、封筒を開封した際に、本のように開いて読むことが可能になり、例えば電車の中などの、比較的狭い空間でも簡単に封筒を開いて無理なく読むことができ、さらにパンフレットなどとして扱い易くなるという利点がある。
【発明を実施するための最良の形態】
【００１４】
以下、本発明に係る最良の形態を図面に基づいて詳細に説明する。図１は本発明に係る第１実施の形態の封筒を示す正面図、図２は第１実施の形態の印刷物を示す斜視図、図３は第１実施の形態の印刷物の一部を折り畳んだ状態を示す斜視図、図４は第１実施の形態の折畳みタイプの封筒を示す断面図、図５は第１実施の形態の封筒を開封した状態を示す斜視図である。
【００１５】
図１〜図４に示す折畳みタイプの封筒１０は、一枚の印刷物１１を巻き紙状に折り畳んで形成したもので、一枚の印刷物１１を封筒１０に折り畳んだ際に、外側に位置する折畳み片１２の端縁１２ａを糊１３で剥離可能に接着するとともに、封筒１０の一方側縁の重ね折畳み部１０ａをボンド１４で接着し、封筒１０の他方側縁の重ね折畳み部１０ｂにミシン目１５を入れたものである。
【００１６】
また、折畳みタイプの封筒１０は、一枚の印刷物１１を封筒１０に折り畳んだ際に、封筒１０の上縁１０ｃ及び下縁１０ｄを糊１３で剥離可能に接着したものである。
【００１７】
図２に示すように、一枚の印刷物１１は、展開形状が帯状の用紙であり、これを内側に折り畳む重ね折畳み片１７の端縁１７ａ側から、一定間隔をおいて、重ね折畳み片１７上に、端縁１７ａと平行状にボンド１４を塗布し、この塗布したボンド１４から一定間隔をおいて、ボンド１４と平行状にミシン目１５を入れている。
【００１８】
ボンド１４は、一方の重ね折畳み部１０ａを剥離させないように接着する接着剤であり、所定間隔Ｓ（例えば、２ｃｍ）をおいてスポット状に塗布している。
以下同様に、ボンド１４とミシン目１５を交互に塗布・形成することで、一枚の印刷物１１を得る。
【００１９】
そして、一枚の印刷物１１のうち、外側に位置する折畳み片１２の端縁１２ａに剥離可能な糊１３を塗布し、さらに上縁１１ａに剥離可能な糊１３を塗布するとともに、下縁１１ｂにも剥離可能な糊１３を塗布する。
【００２０】
図２に示すように、一枚の印刷物１１を、まず折畳み片１７に隣接するボンド１４の塗布部位１８を矢印のように折り曲げて、図３に示すように折畳み片１７を、隣接する折畳み片１９を重ね合わせる。
【００２１】
つぎに、図３に示すように折畳み片１９に、隣接するミシン目１５を入れた部位２０を矢印のように折り曲げて、折畳み片１７を、隣接する折畳み片２１を重ね合わせる。
以下順次、ボンド１４を塗布した部位と、ミシン目１５を入れた部位とを交互に折り曲げて、一枚の印刷物１１を封筒１０に形成する。
【００２２】
一枚の印刷物１１を封筒１０に折り畳んだ際に、外側に折り畳んだ折畳み片１７を糊１３で剥離可能に接着するとともに、封筒１０の上縁１０ｃ及び下縁１０ｄを糊１３で剥離可能に接着する。
同時に、封筒１０の一方側に重なる折畳み部１０ａがボンド１４で接着され、封筒１０の他方側に重なる折畳み部１０ｂにはミシン目１５が入れられている。
【００２３】
本発明の折畳みタイプの封筒１０によれば、例えば、まず上縁１０ｃ及び下縁１０ｄを剥離し、つぎに折畳み部１０ｂのミシン目１５を切り裂くことで、「はさみ」などを用いなくても封筒１０を開封することができる。
封筒１０の一方側縁の重ね折畳み部１０ａが接着されているので、他方側縁の重ね折畳み部１０ｂのミシン目１５を切り裂くことで、図５に示すように封筒１０を本のように開くことができる。
【００２４】
また、封筒１０の上縁１０ｃ及び下縁１０ｄを糊１３で剥離可能に接着することで、封筒１０の配達中に封筒１０の中が不用意に見られないようにできる。
【００２５】
つぎに、第２実施の形態について説明する。なお、第２実施の形態の折畳みタイプの封筒５０において第１実施の形態の折畳みタイプの封筒１０と同じ部材については同一符号を付して説明を省略する。
図６に示す折畳みタイプの封筒５０は、一枚の印刷物５１（図７参照）を封筒５０に折り畳んだ際に、封筒５０の上縁５０ａ及び下縁５０ｂを非接着としたことが第１実施の形態の折畳みタイプの封筒１０と異なるだけで、その他は第１実施の形態の折畳みタイプの封筒１０と同じである。
【００２６】
また、一枚の印刷物５１は、図７に示すように、上縁１１ａ及び下縁１１ｂに剥離可能な糊１３を塗布しないようにしたことが第１実施の形態の印刷物１１と異なるだけでその他は印刷物１１と同じである。
【００２７】
封筒５０の上縁５０ａ及び下縁５０ｂを非接着とすることで、封筒５０を開封する際に、上縁５０ａや下縁５０ｂを剥離する必要がない。
よって、封筒５０の開封が簡単になり、封筒５０を受け取った者は手間をかけないで封筒５０を開封することができる。
【図面の簡単な説明】
【００２８】
【図１】本発明に係る第１実施の形態の封筒を示す正面図である。
【図２】第１実施の形態の印刷物を示す斜視図である。
【図３】第１実施の形態の印刷物の一部を折り畳んだ状態を示す斜視図である。
【図４】第１実施の形態の折畳みタイプの封筒を示す断面図である。
【図５】第１実施の形態の封筒を開封した状態を示す斜視図である。
【図６】本発明に係る第２実施の形態の封筒を示す正面図である。
【図７】第２実施の形態の印刷物を示す斜視図である。
【符号の説明】
【００２９】
１０，５０…折畳みタイプの封筒
１０ａ，１０ｂ…折畳み部
１０ｃ，５０ａ…上縁
１０ｄ、５０ｂ…下縁
１１，５１…印刷物
１２ａ…外側に折り畳んだ端縁
１５…ミシン目
１３…糊
１４…ボンド
【図１】
2005324812.tif 000003
【図２】
2005324812.tif 000004
【図３】
2005324812.tif 000005
【図４】
2005324812.tif 000006
【図５】
2005324812.tif 000007
【図６】
2005324812.tif 000008
【図７】
2005324812.tif 000009